(57)【特許請求の範囲】
【請求項１】
長方形形状を有し、長手方向の全長に沿って延びる通し目地が、短手方向に複数列配設された外装材であって、外装材の短手方向の両端側に位置する通し目地において、外装材の短手方向の端側の端部が一直線状に形成されて直線状端部とされ、直線状端部に対向する他端部は一直線状に形成されてなく、直線状端部との間の目地幅が不規則に拡縮していることを特徴とする通し目地を有する外装材。
【請求項２】
外装材の短手方向の両端側に位置する通し目地以外の通し目地が、不規則に拡縮した目地幅を有する請求項１記載の通し目地を有する外装材。
【発明の詳細な説明】
【０００１】
【発明の属する技術分野】
この出願の発明は、通し目地を有する外装材に関するものである。さらに詳しくは、この出願の発明は、高い寸法精度を保ちながら、施工時の手間や目地ずれによる外観の違和感を軽減できる通し目地を有する外装材に関するものである。
【０００２】
【従来の技術】
住宅等の外装材としては、表面に柄、目地等の凹凸模様、着色、塗装等の施された多種多様の意匠を有するものが提供されおり、近年はとくに、重厚感や高級感を与えるレンガ積み、石積み、タイル張り、木板張り等をイメージした模様を有する外装材の人気が高い。
【０００３】
レンガ積み、石積み、タイル張り、木板張り等の意匠を有する外装材はいずれも長手方向に通し目地を有する。したがって、現場で複数の外装材を張り合わせる際には、隣接する外装材の通し目地の位置を正確に合わせることが必要であり、施工には大きな手間がかかる。また、施工時に目地ずれが生じた場合には、通し目地箇所に不均一さが生じるため、見る者に違和感を与え、しばしばクレームの原因となっていたのが実情である。そのため、目地ずれ公差は非常に狭く設定されており、施工には慎重を要していた。
【０００４】
一方、最近では、レンガやブロックを精密に配した直線的な模様だけでなく、自然石を連想させるランダムな形状の模様を有する外装材も好まれている。このようなランダムな模様を有する外装材では、隣接する外装材間の目地ずれが目立たないという利点があった。
【０００５】
【発明が解決しようとする課題】
ところで、外装材は通常、少なくともセメントを主成分とする原料スラリーを押出し又は抄造によりシートとした後、プレス機によって脱水成形して模様付けし、次いで成形された基板を養生して端部を切削し、上塗り塗装を施して製造される。
【０００６】
外装材の製造工程で押出しや抄造によって得られるシートは、端部が不均一なため、寸法測定基準が明確でない。そのため、前記のランダムな模様を有する外装材の製造においては、外装材の寸法精度を保つことが非常に困難となるという新たな問題が発生したのである。
【０００７】
そこで、この出願の発明は、以上のとおりの事情に鑑みてなされたものであり、従来技術の問題点を解消し、高い寸法精度を保ちながら施工の手間と目地ずれによる外観の違和感を軽減できる意匠性の高い外装材を提供することを課題としている。
【０００８】
【課題を解決するための手段】
この出願の発明は、上記の課題を解決するものとして、第１に、長方形形状を有し、長手方向の全長に沿って延びる通し目地が、短手方向に複数列配設された外装材であって、外装材の短手方向の両端側に位置する通し目地において、外装材の短手方向の端側の端部が一直線状に形成されて直線状端部とされ、直線状端部に対向する他端部は一直線状に形成されてなく、直線状端部との間の目地幅が不規則に拡縮していることを特徴とする通し目地を有する外装材を提供する。
【０００９】
そして、この出願の発明は、第２に、外装材の短手方向の両端側に位置する通し目地以外の通し目地が、不規則に拡縮した目地幅を有する通し目地を有する外装材をも提供する。
【００１０】
【発明の実施の形態】
この出願の発明の通し目地を有する外装材について、図１に外観図を示した。もちろん、この出願の発明の外装材は、図１のものに限定されず、様々な目地形状や模様を有する多くの態様が可能であることはいうまでもない。
【００１１】
まず、この出願の発明の通し目地を有する外装材は、図１（Ａ）に示されるように、長方形形状を有し、長手方向の全長に沿って延び、短手方向に複数列配設された通し目地（２）を有するものであり、短手方向の両端側に位置する通し目地（２１）に寸法測定基準（ａ）となる直線状端部（２２）を有することを特徴とするものである。直線状端部（２２）は、通し目地（２１）において、外装材の短手方向の端側の端部であり、一直線状に形成されたものである。
【００１２】
前記のとおり、外装材（１）の製造工程において、抄造あるいは押出しにより得られるシートの端部は形状が不均一となっている。そのため、外装材（１）における均一な外装材端部（３）は、養生工程後に基板を切削して得られるものである。つまり、外装材端部（３）そのものは、模様付けにおける寸法測定基準（ａ）として使用できないのである。
【００１３】
そこで、この出願の発明の通し目地を有する外装材では、通し目地（２１）における直線状端部（２２）間を寸法測定基準（ａ）とする。すなわち、この出願の発明の通し目地を有する外装材は、長方形形状を有し、長手方向の全長に沿って延び、短手方向に複数列配設された通し目地（２）のうち、短手方向の両端側に位置する通し目地（２１）における短手方向の端側の一端部をそれぞれ一直線状に形成して直線状端部（２２）とし、これら直線状端部（２２）間の寸法を基準として外装材（１）の寸法精度を判断できるようにしたものである。プレス成形により通し目地（２）を模様付けした後、直線状端部（２２）を基準として外装材（１）の外側の部位を任意の幅に切削することにより、外装材（１）そのものの寸法精度を保ちながら、外装材端部（３）を決定することができる。
【００１４】
次に、この出願の発明の通し目地を有する外装材では、直線状端部（２２）以外は、一直線状でなく、短手方向の両端側に位置する通し目地（２１）においても、直線状端部（２２）に対向する他端部は一直線状に形成されてなく、直線状端部（２２）との間の目地幅（４、４’）が不規則に拡縮されているものとする（図１（Ｂ））。これにより、現場でこの外装材（１）を施工する際に、隣接する外装材（１、１’）間の目地ずれ公差（ｂ）を広くとることが可能となる（図２）。
【００１５】
さらに、この出願の発明の通し目地を有する外装材において、通し目地（２１）以外の通し目地（２）、たとえば短手方向の中央部に位置する通し目地（２３）は、直線状端部を有さなくてもよい。目地幅（５、５’）が不規則に拡縮したものとなるため、施工時に隣接する外装材（１、１’）間で目地幅や目地位置を厳密に一致させる必要がなくなり、目地ずれ公差（ｂ）を広くとることが可能になる（図１（Ｃ））。また、施工時に目地ずれが生じてもほとんど目立たず、外観上の違和感が低減される。したがって施工時間を短縮でき、作業能率も向上する。
【００１６】
さらにまた、この出願の発明の通し目地を有する外装材では、目地幅（４、４’、５、５’）を不規則に拡縮することにより、ランダムでより自然な印象を与える高い意匠性も得られるようになる。
【００１７】
【発明の効果】
この出願の発明により、目地ずれ公差を広くとり、施工時の手間や目地ずれによる違和感を低減できる意匠性の高い外装材が提供される。このような外装材は、短手方向の両端側に位置する通し目地に直線状端部を有するため、製造時の高い寸法精度を保持することができ、かつ、外装材全体においては不規則に拡縮した目地幅を有するため、施工時に慎重に目地位置を合わせる必要がなくなり、目地ずれによる違和感も低減される。さらに、このような外装材は、ランダムでより自然な印象を与える高い意匠性をも有する。
【図面の簡単な説明】
【図１】  この出願の発明の通し目地を有する外装材を例示した外観図である。（Ａ）外装材の目地形状を示す模式図である。（Ｂ）短手方向の両端側に位置する通し目地を示す拡大図である。（Ｃ）短手方向の中央部に位置する通し目地を示す拡大図である。
【図２】  この出願の発明の通し目地を有する外装材を施工する際の隣接する外装材の目地ずれ公差を示す概略模式図である。
【符号の説明】
１  外装材
１’  外装材
２  通し目地
２１  短手方向の両端側に位置する通し目地
２２  直線状端部
２３  短手方向の中央部に位置する通し目地
３  外装材端部
４  目地幅
４’  目地幅
５  目地幅
５’  目地幅
ａ  寸法測定基準
ｂ  目地ずれ公差
【図１】
0003878010.tif 000002
【図２】
0003878010.tif 000003